(57)【特許請求の範囲】
【請求項１】
道路に沿って所定の間隔で並立された支柱と、前記支柱の間に設置された防音パネルと、前記支柱及び防音パネルの頂部に配置された笠木とから成り、
前記笠木は、前記防音パネルの上端に取り付けられており、この笠木に透光板が同笠木の底辺に対し垂直に固定されていることを特徴とする、道路用防音壁。
【請求項２】
道路に沿って所定の間隔で並立された支柱と、前記支柱の間に設置された防音パネルと、前記支柱及び防音パネルの頂部に配置された笠木とから成り、
笠木は、前記防音パネルの上端に取り付けられており、
笠木は、その横断面形状として、防音パネルの頂部に載置される底辺部、及び前記底辺部の上面側において透光板の片面が接する当接部を備えた第１笠木部材と、同じ底辺部の上面側において前記透光板の反対側面へ接して当該透光板を固定し直立させる形状の第２笠木部材との組み合わせで構成されていることを特徴とする、道路用防音壁。
【請求項３】
道路に沿って所定の間隔で並立された支柱と、前記支柱の間に設置された防音パネルと、前記支柱及び防音パネルの頂部に配置された笠木とから成り、
前記笠木は、前記防音パネルの上端に取り付けられており、
笠木は、その横断面形状として、防音パネルの頂部に載置される底辺部、及び前記底辺部の上面側において透光板の片面が接する当接部を備えた第１笠木部材と、同じ底辺部の上面側において、前記第１笠木部材の当接部に対して、透光板を挟むことなく該第１笠木部材の当接部と接する当接面を備えた第３笠木部材との組み合わせで構成されていることを特徴とする、道路用防音壁。
【請求項４】
笠木を構成する第１笠木部材に上方を開口した溝が設けられ、第２笠木部材、又は第３笠木部材のそれぞれに、前記溝へ挿入可能な形状、大きさの突片が設けられ、各々の突片を前記溝の中へ差し込んで、前記第１笠木部材に対して結合されていることを特徴とする、請求項２又は３に記載した道路用防音壁。
【請求項５】
笠木を構成する第１笠木部材にヒンジ止め用の円弧状溝が設けられ、透光板を固定する第２笠木部材、又は直付けする第３笠木部材のそれぞれに、前記円弧状溝へ挿入可能な形状、大きさの円弧板形状のヒンジ片が設けられ、前記第２、第３笠木部材は、各々のヒンジ片を前記円弧状溝の中へ差し込み、約９０度の回転操作により、前記第１笠木部材に対して止着されていることを特徴とする、請求項４に記載した道路用防音壁。
【請求項６】
道路に沿って所定の間隔で並立された支柱と、前記支柱の間に設置された防音パネルと、前記支柱及び防音パネルの頂部に配置された笠木とから成り、
笠木は、前記防音パネルの上端に取り付けられており、
笠木は、その横断面形状として、防音パネルの頂部に載置される底辺部、及び前記底辺部の上面側において透光板の片面が接する当接部を備えた第１笠木部材と、同じ底辺部の上面側において前記透光板の反対側面へ接して当該透光板を固定し直立させる形状の第２笠木部材との組み合わせで構成されており、
第１笠木部材には鉛直状溝が設けられており、
第２笠木部材には、前記鉛直状溝へ挿入可能な形状、大きさの鉛直状の突片がが設けられ、該突片は前記鉛直状溝の中へ嵌め込まれ、前記第１笠木部材に対してボルト止めにて固定されていることを特徴とする、道路用防音壁。
【請求項７】
道路に沿って所定の間隔で並立された支柱と、前記支柱の間に設置された防音パネルと、前記支柱及び防音パネルの頂部に配置された笠木とから成り、
笠木は、前記防音パネルの上端に取り付けられており、
笠木は、その横断面形状として、防音パネルの頂部に載置される底辺部、及び前記底辺部の上面側において透光板の片面が接する当接部を備えた第１笠木部材と、同じ底辺部の上面側において前記透光板の反対側面へ接して当該透光板を固定し直立させる形状の第２笠木部材との組み合わせで構成されており、
第１笠木部材には鉛直状溝と、透光板の反対側面の下部を拘束する垂直面が設けられており、
第２笠木部材には、前記鉛直状溝へ挿入可能な形状、大きさの鉛直状の第１突片と、前記垂直面と透光板との隙間へ嵌め込み可能な形状、大きさの鉛直状の第２突片とが設けられ、第１突片は前記鉛直状溝の中へ嵌め込まれ、第２突片は前記垂直面と透光板との隙間へ嵌め込まれ、前記第１笠木部材に対してボルト止めにて固定されていることを特徴とする、道路用防音壁。
【請求項８】
道路に沿って所定の間隔で並立された支柱と、前記支柱の間に設置された防音パネルと、前記支柱及び防音パネルの頂部に配置された笠木とから成り、
笠木は、前記防音パネルの上端に取り付けられており、
笠木は、その横断面形状として、防音パネルの頂部に載置される底辺部、及び前記底辺部の上面側において透光板の片面が接する当接部を備えた第１笠木部材と、同じ底辺部の上面側において、前記第１笠木部材の当接部に対して、透光板を挟むことなく該第１笠木部材の当接部と接する当接面を備えた第３笠木部材との組み合わせで構成されており、
第１笠木部材には鉛直状溝が設けられており、
第３笠木部材には、前記鉛直状溝へ挿入可能な形状、大きさの鉛直状の突片が設けられ、該突片は前記鉛直状溝の中へ嵌め込まれ、前記第１笠木部材に対してボルト止めにて固定されていることを特徴とする、道路用防音壁。
【請求項９】
道路に沿って所定の間隔で並立された支柱と、前記支柱の間に設置された防音パネルと、前記支柱及び防音パネルの頂部に配置された笠木とから成り、
笠木は、前記防音パネルの上端に取り付けられており、
笠木は、その横断面形状として、防音パネルの頂部に載置される底辺部、及び前記底辺部の上面側において透光板の片面が接する当接部を備えた第１笠木部材と、同じ底辺部の上面側において、前記第１笠木部材の当接部に対して、透光板を挟むことなく該第１笠木部材の当接部と接する当接面を備えた第３笠木部材との組み合わせで構成されており、
第１笠木部材には鉛直状溝と、透光板の反対側面の下部を拘束する垂直面が設けられており、
第３笠木部材には、前記鉛直状溝へ挿入可能な形状、大きさの鉛直状の第１突片と、前記垂直面と当接可能な形状、大きさの鉛直状の第２突片とが設けられ、第１突片は前記鉛直状溝の中へ嵌め込まれ、第２突片は前記垂直面へ当接され、前記第１笠木部材に対してボルト止めにて固定されていることを特徴とする、道路用防音壁。
【請求項１０】
笠木と防音パネルはボルト止め又はリベット止めの手段で固定されていることを特徴とする、請求項１〜９のいずれか一に記載した道路用防音壁。
【請求項１１】
防音パネルの上端面に、その略全長にわたる長さの下地材がボルト止め又はリベット止め等の手段で取り付け固定され、笠木を構成する第１笠木部材は、前記下地材へボルト止め又はスライドリブ等の固定手段で結合されていることを特徴とする、請求項２〜９のいずれか一に記載した道路用防音壁。
【請求項１２】
笠木と透光板はボルト止めの手段で固定されていることを特徴とする、請求項１〜１１のいずれか一に記載した道路用防音壁。
【請求項１３】
笠木は、並立する複数の支柱、及び支柱の間に設置された複数の防音パネルの頂部へ連続状態に配置されていることを特徴とする、請求項１〜１２のいずれか一に記載した道路用防音壁。
【請求項１４】
並立する支柱の間にビーム材が取り付けられていることを特徴とする、請求項１〜１３のいずれか一に記載した道路用防音壁。
【発明の詳細な説明】
【０００１】
【発明の属する技術分野】
この発明は、道路に沿って所定の間隔で並立された複数の支柱と、前記支柱の間に設置された防音パネルと、前記支柱及び防音パネルの頂部に配置された笠木、及び（又は）背の低い透光板とから成る道路用防音壁に関する。
【０００２】
【従来の技術】
従来、複数の支柱と、前記支柱の間に設置された防音パネル、及び前記支柱及び防音パネルの頂部に配置された笠木とから成る道路用防音壁は、例えば特開昭５５−３００４号公報、特開昭５７−１６５１号公報などに記載されて公知に属する。
【０００３】
また、市街地などで、歩道と車道の境界に、通常の防音壁の上端部に透光板を取り付けた低層遮音壁は、本出願人が先の特開２０００−８７３１７号に開示している。
【０００４】
【発明が解決しようとする課題】
上述したように、従来から笠木付きの道路用防音壁は知られている。また、高さが低い防音壁の頂部に透光板を取り付けたものも知られている。しかし、歩道と車道の間に設置した場合に、笠木が安全性の高い手すりの機能を奏し、また、車道を走る自動車の運転者から見ると一直線状に連続した笠木が視線誘導の機能を奏する構成の笠木付き道路用防音壁は見聞しない。
【０００５】
笠木で固定してほぼ垂直に直立させた透光板は、視界を妨げることなく、防音壁の有効高さを高める効果を有するが、透光板の取り付け構造として不透明な外周枠などを必要としない簡単な構成で、しかも透光板を取り付けない場合の対応が容易な構造の笠木もやはり見聞しない。
【０００６】
本発明の目的は、新設の防音壁はもとよりのこと、既設の防護柵の支柱間に防音パネルを取り付けて防音壁に改造する場合であっても、笠木を容易に取り付け可能であり、歩道と車道の間に設置すると、笠木が安全性の高い手すりの機能を奏し、或いは車道を走る自動車の運転者から見ると、一直線状に連続して見える笠木が視線誘導の機能を奏する道路用防音壁を提供することである。
【０００７】
本発明の次の目的は、笠木で固定し直立させた透光板が、通行人などの視界を妨げることなく、防音壁の有効高さを高める効果を有し、しかも笠木は透光板の取り付け取り外しが簡単な構造で、透光板を取り付けた部分と取り付けない部分とで笠木の連続性を確保することができ、必要な部分にのみ透光板を取り付けられるし、透光板の取り付け場所を道路騒音の発生源の変化などに対応して容易に変更することができ、透光板を取り付けない場合でも、手すり機能を損なうことなく外観の美的処理が可能な笠木を備えた道路用防音壁を提供することである。
【０００８】
【課題を解決するための手段】
上述の課題を解決するための手段として、請求項１に記載した発明に係る道路用防音壁は、
道路に沿って所定の間隔で並立された支柱と、前記支柱の間に設置された防音パネルと、前記支柱及び防音パネルの頂部に配置された笠木とから成り、
前記笠木は、前記防音パネルの上端に取り付けられており、この笠木に透光板が同笠木の底辺に対し垂直に固定されていることを特徴とする。
【０００９】
請求項２に記載した発明に係る道路用防音壁は、
道路に沿って所定の間隔で並立された支柱と、前記支柱の間に設置された防音パネルと、前記支柱及び防音パネルの頂部に配置された笠木とから成り、
笠木は、前記防音パネルの上端に取り付けられており、
笠木は、その横断面形状として、防音パネルの頂部に載置される底辺部、及び前記底辺部の上面側において透光板の片面が接する当接部を備えた第１笠木部材と、同じ底辺部の上面側において前記透光板の反対側面へ接して当該透光板を固定し直立させる形状の第２笠木部材との組み合わせで構成されていることを特徴とする。
【００１０】
請求項３に記載した発明に係る道路用防音壁は、
道路に沿って所定の間隔で並立された支柱と、前記支柱の間に設置された防音パネルと、前記支柱及び防音パネルの頂部に配置された笠木とから成り、
前記笠木は、前記防音パネルの上端に取り付けられており、
笠木は、その横断面形状として、防音パネルの頂部に載置される底辺部、及び前記底辺部の上面側において透光板の片面が接する当接部を備えた第１笠木部材と、同じ底辺部の上面側において、前記第１笠木部材の当接部に対して、透光板を挟むことなく該第１笠木部材の当接部と接する当接面を備えた第３笠木部材との組み合わせで構成されていることを特徴とする。
【００１１】
請求項４記載の発明は、請求項２又は３に記載した道路用防音壁において、
笠木を構成する第１笠木部材に上方を開口した溝が設けられ、第２笠木部材、又は第３笠木部材のそれぞれに、前記溝へ挿入可能な形状、大きさの突片が設けられ、各々の突片を前記溝の中へ差し込んで、前記第１笠木部材に対して結合されていることを特徴とする。
【００１２】
請求項５記載の発明は、請求項４に記載した道路用防音壁において、
笠木を構成する第１笠木部材にヒンジ止め用の円弧状溝が設けられ、透光板を固定する第２笠木部材、又は直付けする第３笠木部材のそれぞれに、前記円弧状溝へ挿入可能な形状、大きさの円弧板形状のヒンジ片が設けられ、前記第２、第３笠木部材は、各々のヒンジ片を前記円弧状溝の中へ差し込み、約９０度の回転操作により、前記第１笠木部材に対して止着されていることを特徴とする。
【００１３】
請求項６に記載した発明に係る道路用防音壁は、
道路に沿って所定の間隔で並立された支柱と、前記支柱の間に設置された防音パネルと、前記支柱及び防音パネルの頂部に配置された笠木とから成り、
笠木は、前記防音パネルの上端に取り付けられており、
笠木は、その横断面形状として、防音パネルの頂部に載置される底辺部、及び前記底辺部の上面側において透光板の片面が接する当接部を備えた第１笠木部材と、同じ底辺部の上面側において前記透光板の反対側面へ接して当該透光板を固定し直立させる形状の第２笠木部材との組み合わせで構成されており、
第１笠木部材には鉛直状溝が設けられており、
第２笠木部材には、前記鉛直状溝へ挿入可能な形状、大きさの鉛直状の突片がが設けられ、該突片は前記鉛直状溝の中へ嵌め込まれ、前記第１笠木部材に対してボルト止めにて固定されていることを特徴とする。
【００１４】
請求項７に記載した発明に係る道路用防音壁は、
道路に沿って所定の間隔で並立された支柱と、前記支柱の間に設置された防音パネルと、前記支柱及び防音パネルの頂部に配置された笠木とから成り、
笠木は、前記防音パネルの上端に取り付けられており、
笠木は、その横断面形状として、防音パネルの頂部に載置される底辺部、及び前記底辺部の上面側において透光板の片面が接する当接部を備えた第１笠木部材と、同じ底辺部の上面側において前記透光板の反対側面へ接して当該透光板を固定し直立させる形状の第２笠木部材との組み合わせで構成されており、
第１笠木部材には鉛直状溝と、透光板の反対側面の下部を拘束する垂直面が設けられており、
第２笠木部材には、前記鉛直状溝へ挿入可能な形状、大きさの鉛直状の第１突片と、前記垂直面と透光板との隙間へ嵌め込み可能な形状、大きさの鉛直状の第２突片とが設けられ、第１突片は前記鉛直状溝の中へ嵌め込まれ、第２突片は前記垂直面と透光板との隙間へ嵌め込まれ、前記第１笠木部材に対してボルト止めにて固定されていることを特徴とする。
【００１５】
請求項８に記載した発明に係る道路用防音壁は、
道路に沿って所定の間隔で並立された支柱と、前記支柱の間に設置された防音パネルと、前記支柱及び防音パネルの頂部に配置された笠木とから成り、
笠木は、前記防音パネルの上端に取り付けられており、
笠木は、その横断面形状として、防音パネルの頂部に載置される底辺部、及び前記底辺部の上面側において透光板の片面が接する当接部を備えた第１笠木部材と、同じ底辺部の上面側において、前記第１笠木部材の当接部に対して、透光板を挟むことなく該第１笠木部材の当接部と接する当接面を備えた第３笠木部材との組み合わせで構成されており、
第１笠木部材には鉛直状溝が設けられており、
第３笠木部材には、前記鉛直状溝へ挿入可能な形状、大きさの鉛直状の突片が設けられ、該突片は前記鉛直状溝の中へ嵌め込まれ、前記第１笠木部材に対してボルト止めにて固定されていることを特徴とする。
請求項９に記載した発明に係る道路用防音壁は、
道路に沿って所定の間隔で並立された支柱と、前記支柱の間に設置された防音パネルと、前記支柱及び防音パネルの頂部に配置された笠木とから成り、
笠木は、前記防音パネルの上端に取り付けられており、
笠木は、その横断面形状として、防音パネルの頂部に載置される底辺部、及び前記底辺部の上面側において透光板の片面が接する当接部を備えた第１笠木部材と、同じ底辺部の上面側において、前記第１笠木部材の当接部に対して、透光板を挟むことなく該第１笠木部材の当接部と接する当接面を備えた第３笠木部材との組み合わせで構成されており、
第１笠木部材には鉛直状溝と、透光板の反対側面の下部を拘束する垂直面が設けられており、
第３笠木部材には、前記鉛直状溝へ挿入可能な形状、大きさの鉛直状の第１突片と、前記垂直面と当接可能な形状、大きさの鉛直状の第２突片とが設けられ、第１突片は前記鉛直状溝の中へ嵌め込まれ、第２突片は前記垂直面へ当接され、前記第１笠木部材に対してボルト止めにて固定されていることを特徴とする。
請求項１０記載の発明は、請求項１〜９のいずれか一に記載した道路用防音壁において、
笠木と防音パネルはボルト止め又はリベット止めの手段で固定されていることを特徴とする。
請求項１１記載の発明は、請求項２〜９のいずれか一に記載した道路用防音壁において、
防音パネルの上端面に、その略全長にわたる長さの下地材がボルト止め又はリベット止め等の手段で取り付け固定され、笠木を構成する第１笠木部材は、前記下地材へボルト止め又はスライドリブ等の固定手段で結合されていることを特徴とする。
請求項１２記載の発明は、請求項１〜１１のいずれか一に記載した道路用防音壁において、
笠木と透光板はボルト止めの手段で固定されていることを特徴とする。
請求項１３記載の発明は、請求項１〜１２のいずれか一に記載した道路用防音壁において、
笠木は、並立する複数の支柱、及び支柱の間に設置された複数の防音パネルの頂部へ連続状態に配置されていることを特徴とする。
請求項１４記載の発明は、請求項１〜１３のいずれか一に記載した道路用防音壁において、
笠木は、並立する複数の支柱、及び支柱の間に設置された複数の防音パネルの頂部へ連続状態に配置されていることを特徴とする。
【００１６】
【発明の実施の形態】
以下に、図面を参照して、請求項１〜１４に記載した発明に係る道路用防音壁の実施形態を説明する。
【００１７】
図１、図２に示した道路用防音壁は、道路１１の例えば歩道と車道を隔てる路肩部位に沿って２ｍ程度の間隔で並立された複数の支柱１…と、前記支柱１、１の間に１枚ずつ設置された防音パネル２…と、前記支柱１及び防音パネル２の頂部に配置された笠木４、及び透光板３とで構成されている。
【００１８】
図示した実施形態は、並立する支柱１…の間の車道側にビーム材５が上下方向に３本平行に取り付けられており、防音パネル２による防音機能と、ビーム材５による防護機能を併用する構成とされている（請求項１４記載の発明）。もっとも、防音パネル２とビーム材５を併用する構成の限りではなく、防音パネル２単独の防音壁について実施することもできる。図１と図３で防音パネル２の表面に黒点を付した部分は、防音パネル２の道路側表面に設けた吸音孔を表現している。
【００１９】
上記の透光板３は、上記防音パネル２の上端に取り付けた笠木４に、同笠木４の底辺に対して垂直に直立して固定されている。したがって、この透光板３は防音壁の延長部分として機能する。透光板３は、例えば透明なアクリル板のようなものであり、前記笠木４に、その下部を道路の長手方向に連続して固定され直立している（以上、請求項１の発明）。
なお、図示例では、前記防音パネル２の長さと略等しい２ｍ程度の長さの透光板３を、取り付け誤差の修正及び該透光板３の熱膨張を考慮して２０mmの間隔Ｈを設けて固定しているがこれに限定されず、あくまでも一実施例を示したものにすぎない。例えば、複数の支柱１…及び防音パネル２…を跨ぐような長尺の透光板でも実施することができる。
【００２０】
その前提となる構成として、笠木４は、前記防音パネル２と透光板３の長さと略等しい２ｍ程度の長さのものを複数用いて、並立する複数の支柱１…、及びそれらの間に設置された複数の防音パネル２…の頂部へ連続状態に配置されている（請求項１３記載の発明）。この笠木４によって、透光板３は、複数の支柱１…及び防音パネル２…の頂部に連続するような構成で配置されている。もちろん、使用する笠木４の長さはこれに限定されず、前記透光板３の場合と同様に、あくまでも一実施例を示したものにすぎない。
【００２１】
したがって、透光板３は、一例として背丈が２００mm程度であるが、その背丈分が防音壁の延長部分となり、視界を遮ることなく防音壁の有効高さを高める効果を奏する。そして、目視に鮮明な笠木４が一直線状に続く様は、車道を走る自動車の運転者から見ると、視線の誘導効果に優れるのである。もっとも、透光板３は、道路の騒音源の状態とか必要性に応じて、防音壁の長手方向に部分的にのみ設置することもできる。
【００２２】
図１、図２のように、防音パネル２による防音機能と、ビーム材５による防護機能とを併用する防音壁の構成概念図を、図３に例示している。
【００２３】
ビーム材５は、図２がわかりやすいように、支柱１から車道側へ若干突き出る形態のブラケット６により、支柱１よりも車道側へ少し突き出た位置に取り付けられている。一方、防音パネル２は、隣接する支柱１、１の間に同支柱１の直径（太さ）の空間内に収まる厚さで配置されている。つまり、防音パネル２は前記ビーム材５の背面側の位置にビーム材５とは独立した構造で配置され、両側縁の取り付け端部７が、支柱１に巻き付けて止めた上下のブラケット８、８によりボルト止め等の手段で固定されている。
【００２４】
したがって、既設の防護柵の改造であれ、又は新設する防音壁のいずれでも、本発明は容易に実施可能である。支柱１の上端と防音パネル２の上辺の高さはほぼ等しいが、防音パネル２の上辺には更に、その略全長にわたる長さで、両側縁に外向きに水平なコ字形状の案内溝１２ａを有する下地材１２がボルト止め又はリベット止め等の手段で取り付け固定されている。図４〜図６中の符号１３がそのボルトを指している。前記下地材１２を利用することによって、防音パネル２の頂部へ笠木４を長く連続状態に取り付けることを可能にしている。下地材１２は、アルミニューム押し出し成形品などであり、防音パネル２の頂部の長さとほぼ等しい長さである。
【００２５】
次に、図４以下には、笠木４の具体的形態と、その取り付け構造の詳細を示している。
【００２６】
先ず図４は、笠木４の構成部品のうち、主となる第１笠木部材４Ａを、防音パネル２の頂部の前記下地材１２を利用して取り付け、一例として止めネジ１０により下地材１２（ひいては防音パネル２）の上面部へ止着した状態を示している。図示例の第１笠木部材４Ａは、防音パネル２の上辺（の前記下地材１２）の上に載置する底辺部４１を有すると共に、この底辺部４１の両端から下方へ垂れ下がるスカート部４ｈ、及び該スカート部４ｈの内側面から内方へほぼ水平に突き出るリブ４ｇを備えている。前記内向きのリブ４ｇを前記下地材１２の案内溝１２ａへ嵌めて長手方向へスライドさせることにより、防音パネル２の頂部へ容易に配置することができる（以上、請求項１１記載の発明）。
【００２７】
図５は、前記第１笠木部材４Ａと、これに組み合わせる従たる存在の第２笠木部材４Ｂとによって、透光板３の下部両側面を挟んで固定し直立させた状態を示す。この第２笠木部材４Ｂは、前記第１笠木部材４Ａの当接部４２との間に透光板３を挟み付ける構成として、垂直面部４８と位置決め部４９を備えている。
【００２８】
したがって、透光板３は、必要に応じて、その取り付け又は取り外しを第２笠木部材４Ｂの使用により簡単に自由自在にでき、設置場所の変更も容易である。
【００２９】
図６は、同じく前記第１笠木部材４Ａと、これに組み合わせる従たる存在の第３笠木部材、即ち、透光板３を使用しない場合に、笠木４を手すり材として好適で、且つ美観にも優れた形態に完結させるための第３笠木部材４Ｃを使用した状態を示している。この第３笠木部材４Ｃは、上記第１笠木部材４Ａの当接部４２の垂直面にほぼぴったり接する垂直面部（当接面）４０を備え、透光板を挟むことなく、前記当接部４２と垂直面部４０とが直付け状態となる横断面形状に形成されている（請求項３記載の発明）。したがって、透光板３を設置しない場所では、第３笠木部材４Ｃを使用することにより、笠木４としての外観形態を完結して、外観の美的処理に容易に対処可能であり、透光板３の取り付け又は取り外しにも直ちに対処可能である。
【００３０】
図４と図５の実施例から理解できるように、本発明の笠木４は、その横断面形状として、支柱１及び防音パネル２の頂部に載置される底辺部４１と、この底辺部４１の上面側において透光板３の片面が接する当接部４２を備えた第１笠木部材４Ａと、同じ底辺部４１の上面側において、前記透光板３の反対側面へ接して当該透光板を固定し直立させる形状の第２笠木部材４Ｂとの組み合わせで構成されている（請求項２記載の発明）。
【００３１】
図４〜図６の実施例に示した笠木４は、透光板３とは独立して、手すり材として好適で、且つ美観にも優れた外観形態を完結させるため、半円形状を基本形態とする意匠に成形している。笠木４を構成する第１笠木部材４Ａと第２笠木部材４Ｂ又は第３笠木部材４Ｃは、それぞれアルミニュームの押し出し成形品として製造したものなどが好適に使用される。しかも、中空構造品として軽量化と原材料の節減を図った構造とされている。第１笠木部材４Ａにおいて、透光板３の片面に接する当接部４２の垂直面に蟻溝４３を形成しているのは、図５のように透光板３を固定し直立させた場合に、前記蟻溝４３を利用して止めピンなどによる抜け止め処置を施す場合の利便を図るためである。
【００３２】
図５及び図６に示すように、第２笠木部材４Ｂ或いは第３笠木部材４Ｃの使用を前提として、第１笠木部材４Ａの図中右側部分には、透光板３の反対側面の下部を拘束する垂直面４４を形成した底辺部４１が中空構造に設けられ、同底辺部４１の右端側に、ヒンジ止め用の円弧状溝４６が設けられている。一方、第２笠木部材４Ｂ及び第３笠木部材４Ｃの外端には、前記円弧状溝４６へ挿入可能な形状、大きさの円弧板形状のヒンジ片４７を設けている。第２、第３笠木部材４Ｂ、４Ｃは、各々の前記ヒンジ片４７を前記円弧状溝４６の中へ差し込み、約９０度の回転操作により、第２笠木部材４Ｂは図５のように透光板３を圧着方式（又は摩擦方式）で固定する。また、第３笠木部材４Ｃは図６のように第１笠木部材４Ａへやはり圧着方式で止着ないし固定することができる（請求項４、５記載の発明）。しかし、以上はあくまでも一実施例を示したものにすぎない。
【００３３】
例えば、図７〜図１０に示したような笠木１４を使用して実施することもできる。この笠木１４は、前記図４〜図６に基づいて説明した実施例と略同様な外観形態により成形されているが、笠木１４を構成する第１笠木部材１４Ａに対する、第２笠木部材１４Ｂ、又は第３笠木部材１４Ｃの取り付け、固定の構造が相違する。
図８は、笠木１４を構成する第１笠木部材１４Ａに対して、第２笠木部材１４Ｂを固定した実施例を示している。
前記第１笠木部材１４Ａは、第２笠木部材１４Ｂの使用を前提として、その図中右側部分には、透光板３の反対側面の下部を拘束する垂直面１４４を形成した水平な底辺部１４１が設けられ、同底辺部１４１の右端側に、鉛直状溝１４６が設けられている。
【００３４】
一方、前記第２笠木部材１４Ｂには、前記鉛直状溝１４６へ挿入可能な形状、大きさの鉛直状の第１突片１４７と、前記垂直面１４４と透光板３との隙間へ嵌め込み可能な形状、大きさの鉛直状の第２突片１４８とが設けられている。
前記第１笠木部材１４Ａに前記透光板３をボルト１９で固定した上で（請求項１２記載の発明）、前記第１笠木部材１４Ａに対して第２笠木部材１４Ｂを上方から差し込むと、第１突片１４７は前記鉛直状溝１４６の中へ嵌め込まれ、第２突片１４８は前記垂直面１４４と透光板３との隙間へ嵌め込まれる。しかる後に第１笠木部材１４Ａの右端側面のスカート部４ｈ及び第２笠木部材１４Ｂの突設片１４７にそれぞれ中心が一致するように設けたボルト孔へボルト１５（図１０参照）をねじ込んで固定する（請求項７記載の発明）。したがって、前記ボルト１５を緩めて外すと前記第２笠木部材１４Ｂは簡単に取り外すことができ、容易に解体作業を行える。
【００３５】
因みに、図中の符号１６はねじ孔であり、笠木の長手方向に沿って形成されている。このねじ孔１６は、道路用防音壁の両端部に設ける端部蓋部材（図示省略）をねじで固定する場合にのみ利用されるものである。また、図７〜図１１に示した４ｇ、４ｈ等は、図４〜図６に示した４ｇ、４ｈ等と略同様の作用・効果を奏するので、同一の符号を付してその説明を省略する。
【００３６】
なお、前記第１笠木部材１４Ａに前記透光板３をボルト１９で固定する場合に、インサートナットを予め用意して実施することもできる。また、図１１に示したように、第２笠木部材１４Ｂの垂直面部４８に当該ボルトの頭部との干渉を避けるための溝１８を設けて実施することが好ましい。因みに、図１１中の符号２０は、前記ボルト１５を通すボルト孔を示している。
【００３７】
図９は、笠木１４を構成する第１笠木部材１４Ａに対して、第３笠木部材１４Ｃを固定した実施例を示している。
前記第１笠木部材１４Ａは、第３笠木部材１４Ｂの使用を前提として、その図中右側部分には、透光板３の反対側面の下部を拘束する垂直面１４４を形成した水平な底辺部１４１が設けられ、同底辺部１４１の右端側に、鉛直状溝１４６が設けられている。
【００３８】
一方、前記第３笠木部材１４Ｃには、前記鉛直状溝１４６へ挿入可能な形状、大きさの鉛直状の第１突片１４９と、前記垂直面１４４と当接可能な形状、大きさの鉛直状の第２突片１５０とが設けられている。
前記第１笠木部材１４Ａに対して第３笠木部材を上方から差し込むと、第１突片１４９は前記鉛直状溝１４６の中へ嵌め込まれ、第２突片１５０は前記垂直面へ当接される。しかる後に、第１笠木部材１４Ａの右端側面のスカート部４ｈ及び第３笠木部材１４Ｃの突設片１４９にそれぞれ中心が一致するように設けたボルト孔へボルト１５（図１０参照）をねじ込んで固定する（請求項９記載の発明）。したがって、前記ボルト１５を緩めて外すと前記第３笠木部材１４Ｃは簡単に取り外すことができ、容易に解体作業を行える。
【００３９】
上記各実施例と同様に半円形状を基本形態とする笠木４（１４）ではあっても、図１２Ａに構成概念図を示したように、第１笠木部材４Ａ（１４Ａ）の右側半分の底辺部４１（１４１）を単純な平板状に形成し、第２笠木部材４Ｂ（１４Ｂ）は前記底辺部４１（１４１）の上に単純に載置するだけの１／４円弧形状であっても同様に実施できる。即ち、前記図４〜図６に示した笠木４、及び図７〜図１０に示した笠木１４を構成する第１笠木部材４Ａ、１４Ａについて、透光板３の反対側面の下部を拘束する垂直面４４、１４４を設けなくても実施することができるのである（請求項６、８記載の発明）。
【００４０】
更にいえば、笠木の基本形態は前記半円形状に限らない。図１２Ｂに例示したように、基本形態を三角形状に構成した第１笠木部材５０Ａと、第２笠木部材５０Ｂとからなる笠木５０、或いは図１２Ｃに例示したように、基本形態を矩形状に構成した第１笠木部材６０Ａと、第２笠木部材６０Ｂとからなる笠木６０等でも、全く同様に実施でき、同様な作用効果を期待できる。図１２中の符号５１、６１はそれぞれ底辺部を指す。
【００４１】
上述したように防音パネル２及び支柱１の頂部へ配置した笠木４、１４と防音パネル２はボルト止め又はリベット止めの手段で固定することが好ましい（請求項１０記載の発明）。
もっとも、笠木４と防音パネル２はボルト止め又はリベット止めの手段で強固に固定するとしても、同笠木４を構成する第１笠木部材４Ａに対して、透光板３を固定する第２笠木部材４Ｂ、又は直付けする第３笠木部材４Ｃはそれぞれ図５又は図６に示したような圧着方式（差し込み又は挿入方式）により、摩擦力で止着する内容で実施することもできる。
以上に実施例を図面に基づいて説明したが、本発明は、図示例の限りではなく、その技術的思想を逸脱しない範囲において、当業者が通常に行う設計変更、応用のバリエーションの範囲を含むことを念のために言及する。
【００４２】
【発明の効果】
請求項１〜１４に記載した発明に係る道路用防音壁は、新設の防音壁はもとより、既設の防護柵の支柱の間に防音パネルを取り付けて防音壁に改造し、更に笠木を取り付ける実施も容易に可能である。しかも笠木は複数の支柱及び防音パネルを跨いで長く連続した構造であるから、これを歩道と車道の間に設置した場合には、安全性の高い手すりの機能を奏する。また、車道を走る自動車の運転者から見ると、視覚に鮮明で一直線状に連続した笠木が視線誘導の機能を奏する。特に防音壁をできるだけ高くしたいため透光板を設置した部分と、高くなくても良いため透光板を取り付けない部分とが併存しても、透明な透光板はさておき、視覚に鮮明な笠木は一連につながって見えるので、運転者から見て視線誘導に違和感がなく、交通安全上の効果も期待できる。
【００４３】
本発明の場合、透光板は、その外周に不透明な取り付け用枠などを必要とせず、透明板の単独材として防音パネル及び支柱の頂部に配置され、笠木により下部を固定して直立させるから、通行人などの視界を妨げず、圧迫感を与えないで、防音壁の有効高さを高める効果を奏し、道路の景観上も好ましいのである。しかも笠木は、透光板の取り付け又は取り外しが簡単であることは勿論のこと、透光板を取り付けない場合には、第３笠木部材を使用することにより、手すり機能を損なわない美的処理をして外観を完結させることが可能である。
【００４４】
したがって、防音壁の必要区分にのみ透光板を取り付けられるし、透光板の取り付け区分を、騒音の発生場所や発生原因に応じて容易に変更できる。しかも透光板の取り付け場所を変更しても、笠木は第２笠木部材を第３笠木部材に変更するだけで対処でき、通行人の目に付きやすい笠木の外観上の美観（美的処理）を確保できるのである。
【図面の簡単な説明】
【図１】本発明に係る道路用防音壁の一部を車道側から示した正面図である。
【図２】図１の側面図である。
【図３】支柱と防音パネル及びビーム材の関係を示した概念図である。
【図４】笠木と防音パネルの関係を示した立面図である。
【図５】笠木で透光板を直立させた構成を示す立面図である。
【図６】笠木が透光板を支持しない場合の構造を示した立面図である。
【図７】笠木と防音パネルの関係を示した立面図である。
【図８】笠木で透光板を直立させた構成を示す立面図である。
【図９】笠木が透光板を支持しない場合の構造を示した立面図である。
【図１０】図８、図９の側面図である。
【図１１】第２笠木部材を示した斜視図である。
【図１２】Ａ、Ｂ、Ｃは笠木の異なる実施形態を概念的に示した説明図である。
【符号の説明】
１      支柱
２      防音パネル
３      透光板
４、１４        笠木
４１、１４１    底辺部
４２    当接部
４Ａ、１４Ａ    第１笠木部材
４Ｂ、１４Ｂ    第２笠木部材
４Ｃ、１４Ｃ    第３笠木部材
５      ビーム材
【図１】
0003908558.tif 000002
【図２】
0003908558.tif 000003
【図３】
0003908558.tif 000004
【図４】
0003908558.tif 000005
【図５】
0003908558.tif 000006
【図６】
0003908558.tif 000007
【図７】
0003908558.tif 000008
【図８】
0003908558.tif 000009
【図９】
0003908558.tif 000010
【図１０】
0003908558.tif 000011
【図１１】
0003908558.tif 000012
【図１２】
0003908558.tif 000013